(57)【要約】【課題】電生成物を放出する扇風機において、安定して放電生成物を放出することを目的とする。【解決手段】風路分離板８とケース部２の他方側内面との間に設けた放電ユニット９を備え、第２の羽根部７が回転すると、ケース部２外の空気が第１の吸込開口部１０からケース部２内へ吸込まれ、ケース部２の他方側内面側へ送風され、この送風された空気の一部は、風路分離板８によって、吹出開口部１１の方向へ風向を変化させ、吹出開口部１１からケース部２外へ送風され、風路分離板８から吹出開口部１１への流れによって、ケース部２外の空気が第２の吸込開口部１２からケース部２内へ吸込まれ、吹出開口部１１からケース部２外へ送風されるという構成にしたことにより、風路分離板８により風向を変えられた空気がケース部２内の他方側空気を誘引して引っ張ることで、放電ユニット９で発生した放電生成物を吹出開口部１１から安定してケース部外に放出できる。【選択図】図１
2015059452.tif 000002
【特許請求の範囲】
【請求項１】
本体と、この本体の上部に設けたケース部とこのケース部内に備えたモータ部と、このモータ部の一方側から前記ケース部外へ水平方向に伸びた第１のシャフトと、この第１のシャフトに装着した第１の羽根部と、前記モータ部の他方側から前記ケース部内で水平方向に伸びた第２のシャフトと、この第２のシャフトに装着した第２の羽根部と、この第２の羽根部と前記ケース部の他方側内面との間に設けた風路分離板と、この風路分離板と前記ケース部の他方側内面との間に設けた放電ユニットとからなり、前記ケース部は、前記ケース部の一方側内面と前記第２の羽根部との間に第１の吸込開口部を有し、前記第２の羽根部と前記ケース部の他方側内面との間に吹出開口部を備え、前記風路分離板と前記ケース部の他方側内面との間に第２の吸込開口部を設け、前記第２の羽根部が回転すると、前記ケース部外の空気が前記第１の吸込開口部から前記ケース部内へ吸込まれ、前記ケース部の他方側内面側へ送風され、この送風された空気の一部は、前記風路分離板によって、前記吹出開口部の方向へ風向を変化させ、前記吹出開口部から前記ケース部外へ送風され、前記風路分離板から前記吹出開口部への流れによって、前記ケース部外の空気が前記第２の吸込開口部から前記ケース部内へ吸込まれ、前記吹出開口部から前記ケース部外へ送風されることを特徴とする扇風機。
【請求項２】
前記吹出開口部は、前記ケース部の上部に設け、前記風路分離板は、前記ケース部の下面から上方へ伸びると共に、前記ケース部の一方側から他方側へ傾斜した板形状であることを特徴とする請求項１に記載の扇風機。
【請求項３】
前記吹出開口部は、前記第２の羽根部と前記風路分離板の上端との間に備えたことを特徴とする請求項１または２に記載の扇風機。
【請求項４】
前記第２の吸込開口部は、前記ケース部の下部に設けたことを特徴とする請求項１から３のいずれかに記載の扇風機。
【請求項５】
放電ユニットは、前記風路分離板の他方側に取り付けたことを特徴とする請求項１から４のいずれかに記載の扇風機。
【発明の詳細な説明】
【技術分野】
【０００１】
本発明は、放電生成物を出す機能を持った扇風機に関するものである。
【背景技術】
【０００２】
従来、この種の扇風機は、格別な負イオンの送出装置を設けることなしに負イオンを空中に拡散放出することができる、負イオン発生ユニットを添装したものが知られている（例えば、特許文献１参照）。
【０００３】
以下、その扇風機について図３を参照しながら説明する。
【０００４】
図３に示す負イオン発生ユニット１０１は、扇風機１０２の送風羽根１０３近傍の前方又は後方に添装される。このような構成にすることで、負イオンを扇風機の風に乗せ、拡散させようとしている。
【先行技術文献】
【特許文献】
【０００５】
【特許文献１】特開平９−２４５９３５号公報
【発明の概要】
【発明が解決しようとする課題】
【０００６】
このような従来の扇風機においては、負イオン発生ユニットは使用者が添装する構造となっていたので、添装位置により負イオンが発生する位置での風の流れが弱く、発生した負イオンが放出されにくいことがあるという課題を有していた。
【０００７】
そこで本発明は、上記従来の課題を解決するものであり、安定した放電生成物の放出を行う扇風機を提供することを目的とする。
【課題を解決するための手段】
【０００８】
そして、この目的を達成するために、本発明は、本体と、この本体の上部に設けたケース部と、このケース部内に備えたモータ部と、このモータ部の一方側から前記ケース部外へ水平方向に伸びた第１のシャフトと、この第１のシャフトに装着した第１の羽根部と、前記モータ部の他方側から前記ケース部内で水平方向に伸びた第２のシャフトと、この第２のシャフトに装着した第２の羽根部と、この第２の羽根部と前記ケース部の他方側内面との間に設けた風路分離板と、この風路分離板と前記ケース部の他方側内面との間に設けた放電ユニットとからなり、前記ケース部は、前記ケース部の一方側内面と前記第２の羽根部との間に第１の吸込開口部を有し、前記第２の羽根部と前記ケース部の他方側内面との間に吹出開口部を備え、前記風路分離板と前記ケース部の他方側内面との間に第２の吸込開口部を設け、前記第２の羽根部が回転すると、前記ケース部外の空気が前記第１の吸込開口部から前記ケース部内へ吸込まれ、前記ケース部の他方側内面側へ送風され、この送風された空気の一部は、前記風路分離板によって、前記吹出開口部の方向へ風向を変化させ、前記吹出開口部から前記ケース部外へ送風され、前記風路分離板から前記吹出開口部への流れによって、前記ケース部外の空気が前記第２の吸込開口部から前記ケース部内へ吸込まれ、前記吹出開口部から前記ケース部外へ送風されるものであり、これにより所期の目的を達成するものである。
【発明の効果】
【０００９】
本発明によれば、本体と、この本体の上部に設けたケース部と、このケース部内に備えたモータ部と、このモータ部の一方側から前記ケース部外へ水平方向に伸びた第１のシャフトと、この第１のシャフトに装着した第１の羽根部と、前記モータ部の他方側から前記ケース部内で水平方向に伸びた第２のシャフトと、この第２のシャフトに装着した第２の羽根部と、この第２の羽根部と前記ケース部の他方側内面との間に設けた風路分離板と、この風路分離板と前記ケース部の他方側内面との間に設けた放電ユニットとからなり、前記ケース部は、前記ケース部の一方側内面と前記第２の羽根部との間に第１の吸込開口部を有し、前記第２の羽根部と前記ケース部の他方側内面との間に吹出開口部を備え、前記風路分離板と前記ケース部の他方側内面との間に第２の吸込開口部を設け、前記第２の羽根部が回転すると、前記ケース部外の空気が前記第１の吸込開口部から前記ケース部内へ吸込まれ、前記ケース部の他方側内面側へ送風され、この送風された空気の一部は、前記風路分離板によって、前記吹出開口部の方向へ風向を変化させ、前記吹出開口部から前記ケース部外へ送風され、前記風路分離板から前記吹出開口部への流れによって、前記ケース部外の空気が前記第２の吸込開口部から前記ケース部内へ吸込まれ、前記吹出開口部から前記ケース部外へ送風されることという構成にしたことにより、安定した放電生成物の放出を行うことができるものである。
【００１０】
すなわち、風路分離板により風向を変えられた第２の羽根部により送風される空気が、ケース部内の風路分離板と他方側内面の間の空気を誘引により引っ張り、引っ張られた風路分離板と他方側内面の間には、第２の吸込開口部より空気が入るようになるので、放電ユニットより発生した放電生成物が、吹出開口部からケース部外に安定して出るため、モータを増やすことなく安定して放電生成物を発生できる。
【図面の簡単な説明】
【００１１】
【図１】本発明の実施の形態１の扇風機を示す概念図
【図２】実施の形態１に示す放電ユニットの一例の概念図
【図３】従来の扇風機の概念図
【発明を実施するための形態】
【００１２】
本発明の請求項１記載の扇風機は、本体と、この本体の上部に設けたケース部と、このケース部内に備えたモータ部と、このモータ部の一方側から前記ケース部外へ水平方向に伸びた第１のシャフトと、この第１のシャフトに装着した第１の羽根部と、前記モータ部の他方側から前記ケース部内で水平方向に伸びた第２のシャフトと、この第２のシャフトに装着した第２の羽根部と、この第２の羽根部と前記ケース部の他方側内面との間に設けた風路分離板と、この風路分離板と前記ケース部の他方側内面との間に設けた放電ユニットとからなり、前記ケース部は、前記ケース部の一方側内面と前記第２の羽根部との間に第１の吸込開口部を有し、前記第２の羽根部と前記ケース部の他方側内面との間に吹出開口部を備え、前記風路分離板と前記ケース部の他方側内面との間に第２の吸込開口部を設け、前記第２の羽根部が回転すると、前記ケース部外の空気が前記第１の吸込開口部から前記ケース部内へ吸込まれ、前記ケース部の他方側内面側へ送風され、この送風された空気の一部は、前記風路分離板によって、前記吹出開口部の方向へ風向を変化させ、前記吹出開口部から前記ケース部外へ送風され、前記風路分離板から前記吹出開口部への流れによって、前記ケース部外の空気が前記第２の吸込開口部から前記ケース部内へ吸込まれ、前記吹出開口部から前記ケース部外へ送風されることという構成を有する。
【００１３】
これにより、前記風路分離板により風向を変えられた前記第２の羽根部により送風される空気が、前記ケース部内の風路分離板と他方側内面の間の空気を誘引により引っ張り、引っ張られた風路分離板と他方側内面の間には、前記第２の吸込開口部より空気が入るようなるので、放電ユニットより発生した放電生成物が、ケース部外に安定して出るため、モータを増やすことなく安定した放電生成物の発生ができるようになり、また、ケース部内を通過する空気の流量が増えるため、モータ部の冷却効果も得られるという効果を奏する。
【００１４】
また、前記吹出開口部は、前記ケース部の上部に設け、前記風路分離板は、前記ケース部の下面から上方へ伸びると共に、前記ケース部の一方側から他方側へ傾斜した板形状であることを特徴とするという構成にしてもよい。
【００１５】
これにより、前記吹出開口部は本体スタンド部から離れた位置になり、前記風路分離板は前記第２の羽根部により送風される空気を、上部に設けられた吹出開口部へ流しやすい流路を形成するようになるので、放電ユニットより発生した放電生成物が、ケース部外に安定して出やすくなるという効果を奏する。
【００１６】
また、前記吹出開口部は、前記第２の羽根部と前記風路分離板の上端との間に備えたことを特徴とする請求項１または２に記載の扇風機という構成にしてもよい。
【００１７】
これにより、前記吹出開口部から鉛直方向真下に見たとき、前記放電ユニットは真下に無い、もしくは有っても前記風路変更板の下になる位置関係となるので、吹出開口部に水がかかった場合でも、放電ユニットに水が付着することを防止できるという効果を奏する。
【００１８】
また、前記第２の吸込開口部は、前記ケース部の下部に設けた構成にしてもよい。
【００１９】
これにより、前記放電ユニットが前記第２の吸込開口部よりも上方に位置する構成となるので、前記放電ユニットにホコリが付着するのを防げるという効果を奏する。
【００２０】
また、放電ユニットは、前記風路分離板の他方側に取り付けた構成にしてもよい。
【００２１】
これにより、前記放電ユニットが、前記ケース部の外郭から離れるようになるので、空間距離及び沿面距離が取り易くなるという効果を奏する。
【００２２】
以下、本発明の実施の形態について図面を参照しながら説明する。
【００２３】
（実施の形態１）
図１に示すように、扇風機は、本体１と、この本体１の上部に略箱形状のケース部２を設けている。このケース部２内には、モータ部３と、風路分離板８と、放電ユニット９とを備えている。
【００２４】
モータ部３は、ケース部２内の前面側に固定され、モータ部３の前面側（一方側）からケース部２外へ水平方向に伸びた第１のシャフト４を有し、この第１のシャフト４には、第１の羽根部５が装着されている。第１の羽根部５は、ケース部２に固定されたガード部１４に囲まれている。モータ部３は、モータ部３の背面側（他方側）からケース部２内で水平方向に伸びた第２のシャフト６を有し、この第２のシャフトには、第２の羽根部７が装着されている。この第２の羽根部７は、第１の羽根部５より、径が小さいものである。
【００２５】
風路分離板８は、第２の羽根部７とケース部２の背面側（他方側）内面との間に設けられている。
【００２６】
放電ユニット９は、風路分離板８とケース部２の背面側（他方側）内面との間に備えている。放電ユニット９の１例は、静電霧化装置１６である。図２に示すように、静電霧化装置１６は、内部に静電霧化装置１６を備えており、放電電極１７と、この放電電極１７に対向して配置された対向電極１８と、これらの対向電極１８と放電電極１７間に高電圧（この実施形態では３．５ＫＶ）を印加する高電圧印加部１９と、放電電極１７を冷却する冷却部として配置したペルチェ素子２０と、このペルチェ素子２０の熱を放熱する放熱フィン２１とを備えている。ペルチェ素子２０は０．１Ｖ〜２．８Ｖ程度の電圧を印加するものであり、この実施形態では、放電電極１７側を低温に、放熱フィン２１側を高温にする。この放電電極１７部分で冷却されることで、結露すると、放電生成物として帯電微粒子水が発生することになり、この帯電微粒子水にはオゾンやヒドロキシルラジカルなどの活性種が含まれる。この帯電微粒子水中の活性種は臭気成分を酸化分解して除去することができると共に、細菌などと接触すると、その酸化作用により細菌が抑制され除菌することができるものである。
【００２７】
ケース部２は、ケース部２の前面側（一方側）内面と第２の羽根部７との間に第１の吸込開口部１０を有し、第２の羽根部７とケース部２の背面側（他方側）内面との間に吹出開口部１１を備えている。また、ケース部２は、風路分離板８とケース部２の背面側（他方側）内面との間に第２の吸込開口部１２を設けている。
【００２８】
このような構成によれば、第２の羽根部７が回転すると、矢印に示すように、ケース部２外の空気が第１の吸込開口部１０からケース部２内へ吸込まれ、ケース部２の背面側（他方側）内面側へ送風される。この送風された空気の一部は、風路分離板８によって、吹出開口部１１の方向へ風向を変化させ、この吹出開口部１１からケース部２外へ送風される。この風路分離板８から吹出開口部１１への流れによって、ケース部２外の空気が第２の吸込開口部１２からケース部２内へ吸込まれ、吹出開口部１１からケース部２外へ送風される。具体的には、吹出開口部１１は、ケース部２の上部に設け、風路分離板８は、ケース部２の下面から上方へ伸びると共に、ケース部の一方側から他方側へ傾斜した板形状である。ここで、風路分離板８の上端部とケース部２の背面側（他方側）内面との間には、スリット形状の空間である隙間部１５を備えている。隙間部１５の面積は、吹出開口部１１よりも小さく、また、第２の吸込開口部１２よりも小さいものとする。
【００２９】
すなわち、ケース部２内に第２の羽根部７による風が流れることにより、風路分離板８により風向を変えられた第２の羽根部７により送風される空気が、隙間部１５を介して、ケース部２内の風路分離板８と背面側（他方側）内面の間の空気を誘引により引っ張り、引っ張られた風路分離板８と他方側内面の間には、第２の吸込開口部１２より空気が入るようになる。
【００３０】
これにより、放電ユニット９より発生した放電生成物が、ケース部２外に安定して出るため、モータを増やすことなく安定した放電生成物の発生ができるようになる。また、ケース部２内を通過する空気の流量が増えるため、モータ部３の冷却効果も得られる。
【００３１】
また、吹出開口部１１はスタンド部１３から離れた位置になり、風路分離板８は第２の羽根部７により送風される空気を、上部に設けられた吹出開口部へ流しやすい流路を形成するようになるので、放電ユニットより発生した放電生成物が、ケース部外に安定して出やすくなるという効果が得られる。
【００３２】
また、吹出開口部１１は、第２の羽根部７と風路分離板８の上端との間に備えたものである。これにより、吹出開口部１１から鉛直方向真下に見たとき、放電ユニットは真下に無い、もしくは有っても風路分離板８の下になる位置関係となり、吹出開口部１１に水がかかった場合でも、放電ユニット９に水が付着することを防止できる。
【００３３】
また、第２の吸込開口部１２は、ケース部２の下部に設けることで、放電ユニット９が第２の吸込開口部１２よりも上方に位置するため、放電ユニット９にホコリが付着するのを防ぐことができる。
【００３４】
また、放電ユニット９は、風路分離板８のケース部２における背面側（他方側）に取り付けることで、放電ユニット９が、ケース部２の外郭から離れ、空間距離及び沿面距離が取り易くなる。
【００３５】
なお、実施の形態において、風路分離板８の形状を板形状としたが、背面側（他方側）に凸な曲線形状としても良い。この場合、第２の羽根部７より送風される風が風路分離板８に沿いやすくなり、風路分離板８と背面側（他方側）内面の間の空気がより引っ張られやすくなることで、放電生成物がよりケース部外に出やすくなるという効果が得られる。
【００３６】
また、実施の形態において、第１の吸込開口部１０を、モータ部３を囲うように全周に設けても良い。この場合、ケース部内に取り込まれる空気が増えるために、第２の羽根部による送風量が増え、放電生成物のケース部外への放出がより安定し、また、モータの冷却効果も高まる。
【産業上の利用可能性】
【００３７】
本発明にかかる扇風機は、モータの数を増やすことなく安定した放電生成物の放出を可能とするものであるので、送風による涼を得たり、脱臭をしたりするために使用される扇風機等として有用である。
【符号の説明】
【００３８】
１      本体
２      ケース部
３      モータ部
４      第１のシャフト
５      第１の羽根部
６      第２のシャフト
７      第２の羽根部
８      風路分離板
９      放電ユニット
１０      第１の吸込開口部
１１      吹出開口部
１２      第２の吸込開口部
１３      スタンド部
１４      ガード部
１５      隙間部
１６      静電霧化装置
１７      放電電極
１８      対向電極
１９    高電圧印加部
２０    ペルチェ素子
２１    放熱フィン
１０１    負イオン発生ユニット
１０２    扇風機
１０３    送風羽根
【図１】
2015059452.tif 000003
【図２】
2015059452.tif 000004
【図３】
2015059452.tif 000005